(57)【要約】【課題】  マイクロレンズを用いて遮光パターンが縦横の２方向になるようにし、もって電磁波シールド特性を向上することができる電磁波シールド機能を有するレンズシートを提供する。【解決手段】  透明なフィルム２と、前記フィルムの一方の面に設けられた複数のマイクロレンズ４と、前記フィルムの他方の面に設けられ、前記マイクロレンズに対応させた部分に透明な光路６が配置されると共に、該光路以外の部分には電磁波シールド機能を持たせるための導電性材料が含有されている遮光層８と、を備えるように電磁波シールド機能を有するレンズシートを形成する。これにより、電磁波シールド特性を向上するさせる。【選択図】  図１
2006253332.tif 000002
【特許請求の範囲】
【請求項１】
透明なフィルムと、
前記フィルムの一方の面に設けられた複数のマイクロレンズと、
前記フィルムの他方の面に設けられ、前記マイクロレンズに対応させた部分に透明な光路が配置されると共に、該光路以外の部分には電磁波シールド機能を持たせるための導電性材料が含有されている遮光層と、
を備えたことを特徴とする電磁波シールド機能を有するレンズシート。
【請求項２】
透明なフィルムと、
前記フィルムの一方の面に設けられた複数のマイクロレンズと、
前記フィルムの他方の面に設けられ、前記マイクロレンズに対応させた部分に透明な光路が配置されると共に、該光路間の隙間には電磁波シールド機能を持たせるための導電性材料が充填されている遮光層と、
を備えたことを特徴とする電磁波シールド機能を有するレンズシート。
【請求項３】
透明なフィルムと、
前記フィルムの一方の面に設けられた複数のマイクロレンズと、
前記フィルムの他方の面に設けられ、前記マイクロレンズに対応させた部分に透明な光路が配置されると共に、該光路のそれぞれの出射面は露出しており、この露出している各出射面以外の露出面には電磁波シールド機能を持たせるための導電性材料で被覆されている遮光層と、
を備えたことを特徴とする電磁波シールド機能を有するレンズシート。
【発明の詳細な説明】
【技術分野】
【０００１】
本発明は、電磁波シールド対策を行うために、プラズマディスプレー等の前面板として使用する電磁波シールド機能を有するレンズシートに係る。
【背景技術】
【０００２】
近年、電子機器から発生する電磁波により周辺電子機器が誤動作を起こしたり、人体への影響が考えられるため、電子機器から発生する電磁波をシールドするための電磁波傷害対策が必要になってきている。
プラズマＴＶ（テレビジョン）装置等のプラズマディスプレーにおいては画面サイズの大型化が進むにつれ、周辺の電子機器の誤動作防止及び人体への影響防止等の観点より電磁波シールド対策が急務となっている。電磁波を遮断するためには、金属などの導電性材料を用いて、この導電性材料で電子機器の周辺を被覆し、かつこの導電性材料をアースすることが必要である。例えばプラズマディスプレーでは、表示画面の表面のカバーに透明な導電性樹脂コートや透明な導電性膜を施すことによって電磁波シールドを行っている。
【０００３】
また、プラズマディスプレーの他の電磁波シールド対策としては、例えば特許文献１に示すように、片面にシリンドリカルレンズが並設されたレンチキュラーシートの平坦面に電離放射線硬化型樹脂層を設けて、電離放射線の照射によりストライプ状に硬化させた部分に遮光ブラックストライプパターンを形成して、そのパターンに導電性フィラーを含有することにより、電磁波シールド機能を持たせるようにした提案がなされている。
【０００４】
【特許文献１】特開平１０−２８２３０９号公報
【発明の開示】
【発明が解決しようとする課題】
【０００５】
しかしながら、上記した特許文献１において開示された電磁波シールド対策では、導電性フィラーを含有するブラックストライプパターンがストライプ状のため、ストライプ間の間隙より電磁波が洩れる恐れがあるのでシールドが十分でなくて、シールド効果が良好でない、といった問題があった。
本発明は、以上のような問題点に着目し、これを有効に解決すべく創案されたものであり、その目的は、シリンドリカルレンズに代えてマイクロレンズを用いて遮光パターンが縦横の２方向になるようにし、もって電磁波シールド特性を向上することができる電磁波シールド機能を有するレンズシートを提供することにある。
【課題を解決するための手段】
【０００６】
請求項１に係る発明は、透明なフィルムと、前記フィルムの一方の面に設けられた複数のマイクロレンズと、前記フィルムの他方の面に設けられ、前記マイクロレンズに対応させた部分に透明な光路が配置されると共に、該光路以外の部分には電磁波シールド機能を持たせるための導電性材料が含有されている遮光層と、を備えたことを特徴とする電磁波シールド機能を有するレンズシートである。
【０００７】
請求項２に係る発明は、透明なフィルムと、前記フィルムの一方の面に設けられた複数のマイクロレンズと、前記フィルムの他方の面に設けられ、前記マイクロレンズに対応させた部分に透明な光路が配置されると共に、該光路間の隙間には電磁波シールド機能を持たせるための導電性材料が充填されている遮光層と、を備えたことを特徴とする電磁波シールド機能を有するレンズシートである。
【０００８】
請求項３に係る発明は、透明なフィルムと、前記フィルムの一方の面に設けられた複数のマイクロレンズと、前記フィルムの他方の面に設けられ、前記マイクロレンズに対応させた部分に透明な光路が配置されると共に、該光路のそれぞれの出射面は露出しており、この露出している各出射面以外の露出面には電磁波シールド機能を持たせるための導電性材料で被覆されている遮光層と、を備えたことを特徴とする電磁波シールド機能を有するレンズシートである。
【発明の効果】
【０００９】
本発明のシールド機能を有するレンズシートによれば、シリンドリカルレンズに代えてマイクロレンズを用いて遮光パターンが縦横の２方向になるようにし、もって電磁波シールド特性を向上することができる。
【発明を実施するための最良の形態】
【００１０】
以下に、本発明に係るシールド機能を有するレンズシートの実施例１〜実施例３を添付図面に基づいて詳述する。
図１は本発明に係るシールド機能を有するレンズシートの実施例１を示す部分拡大断面図、図２は図１に示すレンズシートの製造方法を示す工程図、図３、図４はそれぞれ本発明に係るシールド機能を有するレンズシートの実施例２、３を示す部分拡大断面図である。
図１に示すように、この電磁波シールド機能を有するレンズシート１は、例えば高分子樹脂膜よりなる透明なフィルム２を有している。このフィルム２の一方の面となる片面（図中右側。矢印）にはアレイ状に縦横に配列された複数（多数）の微小なマイクロレンズ４が取り付け固定（又はフィルムベースと一体に成形）されており、この右側の面が光の入射面ａとなっている（矢印Ａは光の入射方向を示す）。このマイクロレンズ４は、例えば略半球状に成形されている。そして、このフィルム２の他方の面、すなわち光の入射面ａと反対側には、透明な光路６を有すると共に電磁波シールド機能が持たされた遮光層８が形成されている。この光路６はフィルムベース（フィルム２）と一体に成形されている。上記光路６は、上記マイクロレンズ４に対して位置的に対応させて設けられており、このマイクロレンズ４で集光された光を通過し得るような大きさ（口径）及び形状になっており、具体的は截頭円錐体形状になっている。尚、ｂは光路６の出射面を示す。そして、この光路６以外の部分は導電性材料８ａが充填されているので、光を遮断乃至カットするようになっている。
【００１１】
具体的には、上記遮光層８は、黒色の塗料に導電性材料を混合してなり、上述したように電磁波シールド機能を持たせるようになっている。この導電性材料としては金属、カーボン、もしくは、これらの複合体よりなり、これを黒色塗料に混合することにより、電磁波シールド効果が発揮される。上記黒色の塗料はバインダー樹脂と混合されており、このバインダー樹脂としては熱可塑性樹脂が一般に用いられ、例えばアクリル樹脂、エポキシ樹脂、飽和ポリエステル樹脂、ポリ塩化ビニル樹脂、ポリ酢酸ビニル樹脂、フノ−ル樹脂、ウレタン樹脂等が挙げられる。
【００１２】
また、導電性材料の金属は、粉体状、フレーク状、繊維状等の各種の形状に成形できるアルミニウム、ニッケル、銅、鉄等が挙げられる。導電性カーボンとしては、その抵抗率が１Ωｃｍ以下のものが良い。導電性材料の金属及び、カーボンの単体または複合体の添加量はバインダー樹脂に対して１０〜１００重量％の範囲が良い。この添加量が１０％よりも少ない場合には電磁波シールド効果が小さく、逆に、１００重量％より多い場合には、材料の分散性、塗液の流動性が悪くなる。また遮光層８の膜厚は電磁波シールド効果を持たせるためには０．１μｍ以上は必要である。
【００１３】
そして、このレンズシート１の光の入射側（右側）に、例えばプラズマディスプレー１０が設置され、このディスプレー１０から光（画像）を左側の出射側に集光させて出射することになる。
このように、本発明では、従来のレンズシートで用いたシリンドリカルレンズではなく、これに代えてマイクロレンズ４を透明なフィルム２の表面に並設し、遮光層８にはマイクロレンズ４からの集光された光が通る部分だけに光路６を形成するようにしたので、遮光ブラックパターンが一方向のストライプ状ではなく、縦、横方向の２方向の略ストライプ状になっているので、電磁波シールド特性を向上させることが可能となる。
【００１４】
次に図２も参照して上記レンズシート１の製造方法について説明する。
まず、図２（Ａ）に示すように高分子樹脂膜よりなる透明なフィルム２の一方の面（上面）にマイクロレンズ４を形成し、他面（下面）に紫外線硬化樹脂層１２を２０μｍの厚さで塗布する。上記フィルム２としては厚さ７５μｍのＰＥＴフィルムを用いた。また上記マイクロレンズ４は略半球状であり、その半径が５０μｍである。
次に図２（Ｂ）に示すように上記マイクロレンズ４の側から、フィルム２に平行な紫外線ＵＶを照射して、上記紫外線硬化樹脂層１２において光が通過する部分を硬化する。
次に図２（Ｃ）に示すようにＩＰＡ（イソ・プロピル・アルコール）またはアセトン等のような溶媒で上記紫外線硬化樹脂層１２を洗浄し、この樹脂層の未硬化部分１２Ａ（図２（Ｂ）参照）を除去することにより截頭円錐形状の光路６を形成する。このとき形成された光の光路６の高さは１５μｍ程度である。
【００１５】
次に、図２（Ｄ）に示すように光路６が形成された側に上記光路６が完全に埋もれるように厚く遮光層８を例えば２０μｍの厚さで塗布する。ここで上記遮光層８の成分は、アクリル樹脂が２２重量部、導電性カーボンブラックが１５重量部、溶媒が６３重量部（ＭＥＫ／トルエン＝１：１）とした。
次に図２（Ｅ）に示すように上記光路６の上に形成された遮光層８を研磨により除去して光路６の端面を露光させることにより、電磁波シールド機能を有するレンズシート１を作製した。この際の光の出射する面積（開口部面積）の割合（開口率）は７０％であった。
【００１６】
＜比較例＞
比較例として次のようにレンズシートを作成した。
図２（Ａ）のマイクロレンズ４の代わりに、シリンドリカルレンズを高分子樹脂よりなるフィルム２の片面に形成した。この後の工程は図２（Ｂ）〜２（Ｅ）と同様に行った。この時のシリンドリカルレンズの半径は５０μｍである。遮光層８の研磨は光の出射する面積（開口部面積）の割合は７０％になるまで行い。実施例と同様な開口率とした。
以上のように作製した電磁波シールド機能を有するレンズシートの電磁波シールド特性を以下の方法で測定した。シールド効果は以下の式で表される。
ＳＥ＝２０ｌｏｇ（Ｅｂ／Ｅａ）
ＳＥ：シールド効果（ｄＢ)
Ｅｂ：入射電界強度（ｖ／ｍ）
Ｅａ：伝導電界強度（ｖ／ｍ）
測定の結果、本発明の実施例（実施態様）では電磁波のシールド効果は７０ｄＢであったが、比較例では５５ｄＢであり、本発明のレンズシートの電磁波シールド効果が大きいことが確認できた。
また、マイクロレンズの一例として底面が略円形状のマイクロレンズを示したが、マイクロレンズが密接して底面の形状が例えば略楕円形状、略六角形状、略多角形状などでも同様な効果があり、底面が略円形状のマイクロレンズに限定するものではない。
【００１７】
以上詳述したように、本願発明の電磁波シールド機能を有するレンズシートは、シリンドリカルレンズを用いた従来の電磁波シールド機能を有するレンズシートよりも高い電磁波シールド効果を得ることができる。
【００１８】
上述した図１に示す本発明の実施例１は、出射面６を除く光路６以外の厚み方向全てに遮光層８，８ａを充填形成した例であるが、次に述べる図３，図４にそれぞれ示す本発明の実施例２，３のレンズシート１Ｂ，１Ｃはいずれも、光路６の出射面ｂを除くレンズシート１Ｂ，１Ｃの出射面側表面（露出面）に遮光層８ｂ，８ｃをそれぞれ形成した例を示している。図３に示す実施例２のレンズシート１Ｂは光路６の出射面ｂよりも突出して遮光層８ｂを形成したものである。図４に示す実施例３のレンズシート１Ｃは光路６の出射面ｂとほぼ同一面になるように遮光層８ｃを設けている。
こうした構成によっても、実施例１とほぼ同等の高い電磁波シールド効果を得ることが出来る。
【図面の簡単な説明】
【００１９】
【図１】本発明に係るシールド機能を有するレンズシートの実施例１を示す部分拡大断面図である。
【図２】図１に示すレンズシートの製造方法を示す工程図である。
【図３】本発明に係るシールド機能を有するレンズシートの実施例２を示す部分拡大断面図である。
【図４】本発明に係るシールド機能を有するレンズシートの実施例３を示す部分拡大断面図である。
【符号の説明】
【００２０】
１…レンズシート、２…フィルム、４…マイクロレンズ、６…光路、８，８ａ，８ｂ，８ｃ…遮光層、１０…プラズマディスプレー、１２…紫外線硬化樹脂層、１２Ａ…未硬化部品。
【図１】
2006253332.tif 000003
【図２】
2006253332.tif 000004
【図３】
2006253332.tif 000005
【図４】
2006253332.tif 000006